(57)【特許請求の範囲】
【請求項１】
複数の単位画素を有する表示部と、
第１の駆動モードにおいて、各単位画素に対して、画素電圧を書き込む書込駆動を行った後に、それぞれに１または複数の発光期間が設定された連続する複数のフレーム期間における複数の発光期間において、前記画素電圧に応じた輝度で発光させる発光駆動を行う駆動部と、
画像信号に基づいて、前記単位画素に書き込まれた前記画素電圧の変化に起因する輝度の低下分を補償するように、前記駆動部に対して前記複数の発光期間の長さを指示する制御部と
を備え、
前記複数の単位画素のそれぞれは、
発光素子と、
ゲートおよびソースを有し前記発光素子に駆動電流を供給する駆動トランジスタと、
前記駆動トランジスタのゲートの電圧を前記画素電圧に応じた電圧に設定する容量素子と
を有し、
前記制御部は、前記複数の発光期間のうちの最初の発光期間以外の所定数の発光期間のうちのいずれか一の発光期間が、前記最初の発光期間よりも長く、前記所定数の発光期間のうちの他のいずれか一の発光期間が、前記最初の発光期間よりも短くなるように制御する
表示装置。
【請求項２】
隣り合う前記発光期間の開始タイミングの時間間隔は、互いに等しい
請求項１に記載の表示装置。
【請求項３】
隣り合う前記発光期間の開始タイミングの時間間隔のうち、いずれか一の時間間隔は、他のいずれか一の時間間隔と互いに異なる
請求項１に記載の表示装置。
【請求項４】
各発光期間を挟む２つの非発光期間の長さは、互いに等しい
請求項３に記載の表示装置。
【請求項５】
前記制御部は、画像信号に基づいて、前記画像信号が示すフレーム期間に対応する期間おいて１つの発光期間を設定する
請求項１から請求項４のいずれか一項に記載の表示装置。
【請求項６】
前記制御部は、画像信号に基づいて、前記画像信号が示すフレーム期間に対応する期間おいて２以上の発光期間を設定する
請求項１から請求項４のいずれか一項に記載の表示装置。
【請求項７】
前記制御部は、前記第１の駆動モードを含む複数の駆動モードのうちの一つを選択し、選択された駆動モードにより各単位画素を駆動させるように前記駆動部を制御する
請求項１から請求項６のいずれか一項に記載の表示装置。
【請求項８】
前記複数の駆動は、第２の駆動モードを含み、
前記制御部は、前記第２の駆動モードにおいて、各単位画素に対して、前記書込駆動を行った後に単一の発光期間において前記発光駆動を行わせるように前記駆動部を制御する
請求項７に記載の表示装置。
【請求項９】
前記第１の駆動モードにおける各発光期間は、前記第２の駆動モードにおける各発光期間よりも短い
請求項８に記載の表示装置。
【請求項１０】
前記第１の駆動モードにおける前記画素電圧が示す輝度レベルは、前記第２の駆動モードにおける前記画素電圧が示す輝度レベルよりも高い
請求項８または請求項９に記載の表示装置。
【請求項１１】
前記制御部は、前記表示部に表示すべき画像の動き量に基づいて、前記複数の駆動モードのうちの一つを選択する
請求項７から請求項１０のいずれか一項に記載の表示装置。
【請求項１２】
前記制御部は、前記表示部に表示すべき画像のコンテンツに基づいて、前記複数の駆動モードのうちの一つを選択する
請求項７から請求項１１のいずれか一項に記載の表示装置。
【請求項１３】
前記制御部は、前記第１の駆動モードにおいて、
第１のフレーム期間において前記書込駆動を行うとともに前記発光駆動を行い、前記第１のフレーム期間に続く第２のフレーム期間において前記発光駆動を行い、前記第２のフレーム期間に続く第３のフレーム期間において前記発光駆動を行い、前記第１のフレーム期間、前記第２のフレーム期間、前記第３のフレーム期間を含む３以上のフレーム期間を繰り返すように前記駆動部を制御し、
前記第２のフレーム期間における前記発光期間の長さを、前記第１のフレーム期間における前記発光期間の長さよりも短く設定し、
前記第３のフレーム期間における前記発光期間の長さを、前記第１のフレーム期間における前記発光期間の長さよりも長く設定する
請求項７から請求項１２のいずれか一項に記載の表示装置。
【請求項１４】
複数の単位画素を有する表示部と、
第１の駆動モードにおいて、各単位画素に対して、画素電圧を書き込む書込駆動を行った後に、それぞれに１または複数の発光期間が設定された連続する複数のフレーム期間における複数の発光期間において、前記画素電圧に応じた輝度で発光させる発光駆動を行う駆動部と、
画像信号に基づいて、前記単位画素に書き込まれた前記画素電圧の変化に起因する輝度の低下分を補償するように、前記駆動部に対して前記複数の発光期間の長さを指示する制御部と
を備え、
前記複数の単位画素のそれぞれは、
発光素子と、
ゲートおよびソースを有し前記発光素子に駆動電流を供給する駆動トランジスタと、
前記駆動トランジスタのゲートの電圧を前記画素電圧に応じた電圧に設定する容量素子と
を有し、
前記制御部は、隣り合う前記発光期間の開始タイミングの時間間隔のうちのいずれか一の時間間隔が、他のいずれか一の時間間隔と互いに異なるように制御する
表示装置。
【請求項１５】
各発光期間を挟む２つの非発光期間の長さは、互いに等しい
請求項１４に記載の表示装置。
【請求項１６】
前記複数の発光期間のうちの最初の発光期間以外の所定数の発光期間のうちのいずれか一の発光期間は、前記最初の発光期間よりも長い
請求項１４または請求項１５に記載の表示装置。
【請求項１７】
隣り合う２つの前記発光期間のうち後ろの発光期間の長さは、前の発光期間の長さ以上である
請求項１４から請求項１６のいずれか一項に記載の表示装置。
【請求項１８】
前記最初の発光期間は、前記所定数の発光期間のうちのいずれか一の発光期間よりも長い
請求項１６に記載の表示装置。
【請求項１９】
画像信号を準備し、
前記画像信号に基づいて発光期間を設定し、
第１の駆動モードにおいて、それぞれが、発光素子と、ゲートおよびソースを有し前記発光素子に駆動電流を供給する駆動トランジスタと、前記駆動トランジスタのゲートの電圧の電圧を画素電圧に応じた電圧に設定する容量素子とを有する複数の単位画素のそれぞれに対して、前記画像信号に基づいて前記画素電圧を書き込む書込駆動を行った後に、それぞれに１または複数の前記発光期間が設定された連続する複数のフレーム期間における複数の発光期間において、前記画素電圧に応じた輝度で発光させる発光駆動を行い、
前記発光期間の設定において、前記画像信号に基づいて、前記単位画素に書き込まれた前記画素電圧の変化に起因する輝度の低下分を補償し、
前記複数の発光期間のうちの最初の発光期間以外の所定数の発光期間のうちのいずれか一の発光期間を、前記最初の発光期間よりも長く設定し、前記所定数の発光期間のうちの他のいずれか一の発光期間を、前記最初の発光期間よりも短く設定する
駆動方法。
【発明の詳細な説明】
【技術分野】
【０００１】
本開示は、画像を表示する表示装置、およびそのような表示装置の駆動方法、ならびにそのような表示装置を備えた電子機器に関する。
【背景技術】
【０００２】
近年、電子機器の高機能化や多機能化に伴い、タブレット端末やスマートフォンのように、表示装置を内蔵した電子機器が多く開発されている。このように表示装置を内蔵することにより、電子機器は、ユーザに対して様々な情報を提供することができ、より優れたユーザインタフェースを実現することができるようになる。【０００３】
ところで、表示装置の各画素は、一般に、書き込まれた画素電圧を保持しつつ、その画素電圧に応じた輝度で発光する。その際、各画素は、画素電圧を十分に保持できず、画素電圧が時間とともに変化してしまう場合がある。このような画素電圧の変化に起因する画質の低下を抑えるために、様々な技術が開発されている。例えば、特許文献１には、ピーク輝度レベルを継続時間長に応じて徐々に大きくする表示装置が開示されている。
【先行技術文献】
【特許文献】
【０００４】
【特許文献１】特開２００８−３３０６６号公報
【発明の概要】
【０００５】
このように、表示装置では、画質の向上が望まれており、画質のさらなる向上が期待されている。
【０００６】
したがって、画質を高めることができる表示装置、駆動方法、および電子機器を提供することが望ましい。
【０００７】
本開示の一実施形態における表示装置は、表示部と、駆動部と、制御部とを備えている。表示部は、複数の単位画素を有するものである。駆動部は、第１の駆動モードにおいて、各単位画素に対して、画素電圧を書き込む書込駆動を行った後に、それぞれに１または複数の発光期間が設定された連続する複数のフレーム期間における複数の発光期間において、画素電圧に応じた輝度で発光させる発光駆動を行うものである。制御部は、画像信号に基づいて、単位画素に書き込まれた画素電圧の変化に起因する輝度の低下分を補償するように、駆動部に対して複数の発光期間の長さを指示するものである。複数の単位画素のそれぞれは、発光素子と、ゲートおよびソースを有し発光素子に駆動電流を供給する駆動トランジスタと、駆動トランジスタのゲートの電圧を画素電圧に応じた電圧に設定する容量素子とを有するものである。制御部は、複数の発光期間のうちの最初の発光期間以外の所定数の発光期間のうちのいずれか一の発光期間が、最初の発光期間よりも長く、所定数の発光期間のうちの他のいずれか一の発光期間が、最初の発光期間よりも短くなるように制御する。
【０００８】
本開示の他の一実施形態における表示装置は、表示部と、駆動部と、制御部とを備えている。表示部は、複数の単位画素を有するものである。駆動部は、第１の駆動モードにおいて、各単位画素に対して、画素電圧を書き込む書込駆動を行った後に、それぞれに１または複数の発光期間が設定された連続する複数のフレーム期間における複数の発光期間において、画素電圧に応じた輝度で発光させる発光駆動を行うものである。制御部は、画像信号に基づいて、単位画素に書き込まれた画素電圧の変化に起因する輝度の低下分を補償するように、駆動部に対して複数の発光期間の長さを指示するものである。複数の単位画素のそれぞれは、発光素子と、ゲートおよびソースを有し発光素子に駆動電流を供給する駆動トランジスタと、駆動トランジスタのゲートの電圧を画素電圧に応じた電圧に設定する容量素子とを有するものである。制御部は、隣り合う発光期間の開始タイミングの時間間隔のうちのいずれか一の時間間隔が、他のいずれか一の時間間隔と互いに異なるように制御する。
【０００９】
本開示の一実施形態における駆動方法は、画像信号を準備し、画像信号に基づいて発光期間を設定し、第１の駆動モードにおいて、それぞれが、発光素子と、ゲートおよびソースを有し発光素子に駆動電流を供給する駆動トランジスタと、駆動トランジスタのゲートの電圧を画素電圧に応じた電圧に設定する容量素子とを有する複数の単位画素のそれぞれに対して、画像信号に基づいて画素電圧を書き込む書込駆動を行った後に、それぞれに１または複数の発光期間が設定された連続する複数のフレーム期間における複数の発光期間において、画素電圧に応じた輝度で発光させる発光駆動を行う。発光期間の設定において、画像信号に基づいて、単位画素に書き込まれた画素電圧の変化に起因する輝度の低下分を補償する。複数の発光期間のうちの最初の発光期間以外の所定数の発光期間のうちのいずれか一の発光期間を、最初の発光期間よりも長く設定し、所定数の発光期間のうちの他のいずれか一の発光期間を、最初の発光期間よりも短く設定する。
【００１０】
本開示の一実施形態における電子機器は、上記表示装置を備えたものであり、例えば、テレビジョン装置、電子ブック、スマートフォン、デジタルカメラ、ノート型パーソナルコンピュータ、ビデオカメラ、ヘッドマウントディスプレイなどが該当する。
【００１１】
本開示の一実施形態における表示装置、駆動方法、および電子機器では、書込駆動が行われた後、複数の発光期間において発光駆動が行われる。その複数の発光期間のうちの最初の発光期間以外の所定数の発光期間のうちのいずれか一の発光期間は、最初の発光期間よりも長く設定され、所定数の発光期間のうちの他のいずれか一の発光期間は、最初の発光期間よりも短く設定される。
【００１２】
本開示の他の一実施形態における表示装置では、書込駆動が行われた後、複数の発光期間において発光駆動が行われる。その際、隣り合う発光期間の開始タイミングの時間間隔のうちのいずれか一の時間間隔は、他のいずれか一の時間間隔と互いに異なっている。
【００１３】
本開示の一実施形態における表示装置、駆動方法、および電子機器によれば、いずれか一の発光期間を、最初の発光期間よりも長くし、他のいずれか一の発光期間を最初の発光期間よりも短くしたので、画質を高めることができる。
【００１４】
本開示の他の一実施形態における表示装置によれば、隣り合う発光期間の開始タイミングの時間間隔のうちのいずれか一の時間間隔を、他のいずれか一の時間間隔と互いに異なるようにしたので、画質を高めることができる。
【００１５】
なお、ここに記載された効果は必ずしも限定されるものではなく、本開示中に記載されたいずれの効果があってもよい。
【図面の簡単な説明】
【００１６】
【図１】本開示の実施の形態に係る表示装置の一構成例を表すブロック図である。
【図２】図１に示した駆動部および表示部の一構成例を表すブロック図である。
【図３】図２に示したサブ画素の一構成例を表す回路図である。
【図４】図２に示したサブ画素の一動作例を表す模式図である。
【図５】図１に示した制御部の一動作例を表す説明図である。
【図６】図１に示した制御部の他の動作例を表す説明図である。
【図７】図２に示したサブ画素の一動作例を表すタイミング波形図である。
【図８】図２に示したサブ画素の他の動作例を表すタイミング波形図である。
【図９】第１の実施の形態に係る制御部の一動作例を表す説明図である。
【図１０】比較例に係る制御部の一動作例を表す説明図である。
【図１１】第１の実施の形態の変形例に係る制御部の一動作例を表す説明図である。
【図１２】第１の実施の形態の変形例に係る制御部の一動作例を表す他の説明図である。
【図１３】第１の実施の形態の他の変形例に係る表示装置の一構成例を表すブロック図である。
【図１４Ａ】図１３に示した表示装置の一動作例を表す説明図である。
【図１４Ｂ】図１３に示した表示装置の他の動作例を表す説明図である。
【図１５】第１の実施の形態の他の変形例に係る表示装置の一構成例を表すブロック図である。
【図１６】第２の実施の形態に係る制御部の一動作例を表す説明図である。
【図１７】第２の実施の形態の変形例に係る制御部の一動作例を表す説明図である。
【図１８】第２の実施の形態の他の変形例に係る制御部の一動作例を表す説明図である。
【図１９】第２の実施の形態の他の変形例に係る制御部の一動作例を表す説明図である。
【図２０】第２の実施の形態の他の変形例に係る制御部の一動作例を表す説明図である。
【図２１】実施の形態に係る表示装置を適用したスマートフォンの外観構成を表す斜視図である。
【図２２】他の変形例に係るサブ画素の一構成例を表す回路図である。
【発明を実施するための形態】
【００１７】
以下、本開示の実施の形態について、図面を参照して詳細に説明する。なお、説明は以下の順序で行う。
１．第１の実施の形態
２．第２の実施の形態
３．適用例
【００１８】
＜１．第１の実施の形態＞
［構成例］
図１は、第１の実施の形態に係る表示装置の一構成例を表すものである。表示装置１は、有機ＥＬ（Electro Luminescence）素子を用いた、アクティブマトリックス方式の表示装置である。なお、本開示の実施の形態に係る駆動方法は、本実施の形態により具現化されるので、併せて説明する。
【００１９】
表示装置１は、画像信号Ｓpicに基づいて画像を表示するものである。この例では、画像信号Ｓpicは、赤色（Ｒ）の輝度情報ＩＲと、緑色（Ｇ）の輝度情報ＩＧと、青色（Ｂ）の輝度情報ＩＢとを含むものである。表示装置１は、駆動部３０と、表示部４０と、静止レベル検出部２０と、制御部１１と、信号処理部１２とを備えている。
【００２０】
駆動部３０は、画像信号Ｓpic2および制御信号ＣＴＬに基づいて、表示部４０を駆動するものである。表示部４０は、駆動部３０による駆動に基づいて画像を表示するものである。
【００２１】
図２は、駆動部３０および表示部４０の一構成例を表すものである。表示部４０は、複数の画素Ｐixがマトリックス状に配置されたものである。各画素Ｐixは、赤色（Ｒ）のサブ画素９Ｒ、緑色（Ｇ）のサブ画素９Ｇ、青色（Ｂ）のサブ画素９Ｂを有している。なお、以下では、サブ画素９Ｒ，９Ｇ，９Ｂのうちの任意の一つを表すものとしてサブ画素９を適宜用いる。表示部４０は、行方向（横方向）に延伸する複数の走査線ＷＳＬおよび複数の電源線ＰＬと、列方向（縦方向）に延伸する複数のデータ線ＤＴＬとを有している。これらの走査線ＷＳＬ、電源線ＰＬ、およびデータ線ＤＴＬの一端は、駆動部３０にそれぞれ接続されている。
【００２２】
図３は、サブ画素９の回路構成の一例を表すものである。サブ画素９は、書込トランジスタＷＳＴｒと、駆動トランジスタＤＲＴｒと、発光素子４９と、容量素子Ｃｓとを備えている。すなわち、この例では、サブ画素９は、２つのトランジスタ（書込トランジスタＷＳＴｒ、駆動トランジスタＤＲＴｒ）および１つの容量素子Ｃｓを用いて構成される、いわゆる「２Ｔｒ１Ｃ」の構成を有するものである。
【００２３】
書込トランジスタＷＳＴｒおよび駆動トランジスタＤＲＴｒは、例えば、ＮチャネルＭＯＳ（Metal Oxide Semiconductor）型のＴＦＴ（Thin Film Transistor；薄膜トランジスタ）により構成されるものである。書込トランジスタＷＳＴｒは、ゲートが走査線ＷＳＬに接続され、ソースがデータ線ＤＴＬに接続され、ドレインが駆動トランジスタＤＲＴｒのゲートおよび容量素子Ｃｓの一端に接続されている。駆動トランジスタＤＲＴｒは、ゲートが書込トランジスタＷＳＴｒのドレインおよび容量素子Ｃｓの一端に接続され、ドレインが電源線ＰＬに接続され、ソースが容量素子Ｃｓの他端および発光素子４９のアノードに接続されている。
【００２４】
容量素子Ｃｓは、一端が駆動トランジスタＤＲＴｒのゲート等に接続され、他端は駆動トランジスタＤＲＴｒのソース等に接続されている。発光素子４９は、有機ＥＬ素子を用いて構成された発光素子であり、アノードが駆動トランジスタＤＲＴｒのソースおよび容量素子Ｃｓの他端に接続され、カソードには、駆動部３０によりカソード電圧Ｖcathが供給されている。なお、この例では、有機ＥＬ素子を用いて発光素子４９を構成したが、これに限定されるものではなく、電流駆動型の発光素子であればどのようなものを用いてもよい。
【００２５】
この構成により、サブ画素９では、書込トランジスタＷＳＴｒがオン状態になることにより書込動作が行われ、容量素子Ｃｓの両端間に、画素電圧Ｖsig（後述）に応じた電位差が設定される。そして、駆動トランジスタＤＲＴｒが、この容量素子Ｃｓの両端間の電位差に応じた駆動電流を発光素子４９に流す。これにより、発光素子４９が画素電圧Ｖsigに応じた輝度Ｌで発光するようになっている。
【００２６】
駆動部３０は、走査線駆動部３１と、電源線駆動部３２と、データ線駆動部３３とを有している。駆動部３０は、表示部４０と一体形成してもよいし、例えば集積回路（チップ）として、表示部４０とは別に設けてもよい。
【００２７】
走査線駆動部３１は、制御部１１から供給された制御信号ＣＴＬに従って、複数の走査線ＷＳＬに対して走査信号ＷＳを順次印加することにより、サブ画素９を順次選択するものである。
【００２８】
電源線駆動部３２は、制御部１１から供給された制御信号ＣＴＬに従って、複数の電源線ＰＬに対して電源信号ＤＳを順次印加することにより、サブ画素９の発光動作および消光動作の制御を行うものである。電源信号ＤＳは、この例では３つの電圧Ｖccp，Ｖext，Ｖiniの間で遷移するものである。後述するように、電圧Ｖccpは、駆動トランジスタＤＲＴｒに電流を流して発光素子４９を発光させるための電圧であり、電圧Ｖext，Ｖiniよりも高い電圧である。電圧Ｖextは、発光素子４９を消光させるための電圧であり、電圧Ｖinitよりも高い電圧である。電圧Ｖiniは、サブ画素９を初期化するための電圧である。
【００２９】
データ線駆動部３３は、信号処理部１２から供給された画像信号Ｓpic2および制御部１１から供給された制御信号ＣＴＬに従って信号Ｓigを生成し、各データ線ＤＴＬに印加するものである。データ線駆動部３３は、ＤＡＣ（Digital Analog Converter）３４を有している。ＤＡＣ３４は、画像信号Ｓpic2に含まれる輝度情報ＩＲ，ＩＧ，ＩＢ（デジタルコード）に基づいて、各サブ画素９の輝度を指示する画素電圧Ｖsig（アナログ電圧）を生成するものである。そして、データ線駆動部３３は、この画素電圧Ｖsigと、後述するＶth補正を行うための電圧Ｖofsと交互に配置することにより、信号Ｓigを生成するようになっている。
【００３０】
この構成により、駆動部３０は、後述するように、サブ画素９に対して初期化を行い、駆動トランジスタＤＲＴｒの素子ばらつきが画質に与える影響を抑えるための補正（Ｖth補正およびμ（移動度）補正）を行い、画素電圧Ｖsigの書込みを行うようになっている。
【００３１】
図１に示した静止レベル検出部２０は、画像信号Ｓpicに基づいて静止レベルＬＳを生成するものである。静止レベル検出部２０は、ノイズフィルタ２１と、静止レベル算出部２２とを有している。
【００３２】
ノイズフィルタ２１は、画像信号Ｓpicに含まれる輝度情報ＩＲ，ＩＧ，ＩＢのノイズを除去するものである。静止レベル算出部２２は、ノイズフィルタ２１によりノイズが除去された輝度情報ＩＲ，ＩＧ，ＩＢに基づいて、その画像の動き量を求め、その動き量に基づいて静止レベルＬＳを算出するものである。静止レベルＬＳは、画像信号Ｓpicが示す画像が静止画である場合には高くなり、動画である場合には低くなるものである。静止レベル算出部２２は、この例では、メモリ２３を有している。メモリ２３は、この例ではフレームメモリであり、ノイズフィルタ２１によりノイズが除去された輝度情報ＩＲ，ＩＧ，ＩＢを１フレーム画像分記憶するものである。静止レベル算出部２２は、ノイズフィルタ２１から供給された１フレーム画像分の輝度情報ＩＲ，ＩＧ，ＩＢと、メモリ２３に記憶された１フレーム分の輝度情報ＩＲ，ＩＧ，ＩＢとを比較することにより、その画像の動き量を求め、その動き量に基づいて静止レベルＬＳを算出する。静止レベルＬＳは、細かいスケールで表してもよいし（例えば２５６段階など）、粗いスケールで表してもよい（例えば４段階など）。そして、静止レベル算出部２２は、生成した静止レベルＬＳを制御部１１に供給するようになっている。
【００３３】
なお、ノイズフィルタ２１は、ノイズがさほど問題にならない場合には省いてもよい。また、ノイズフィルタ２１を設けてもノイズの影響が残り、画像が静止画の場合でも動き量が十分に低くならない場合には、例えば、動き量に対してしきい値を設け、動き量がそのしきい値以下であるときには画像が静止画である旨の判定するようにしてもよい。また、この例では静止レベル算出部２２にメモリ２３を設けたが、メモリ２３を設けずに、より簡易な方法で静止レベルＬＳを取得してもよい。具体的には、例えば、表示部４０の表示領域を複数のサブ表示領域に区分し、そのサブ表示領域ごとに輝度情報ＩＲ，ＩＧ，ＩＢの平均レベルを求め、その平均レベルの時間変化に基づいて静止レベルＬＳを取得することができる。これにより、消費電力やコストを削減することができる。
【００３４】
制御部１１は、画像信号Ｓpic、静止レベルＬＳ、およびモード情報Ｓmodeに基づいて、信号処理部１２および駆動部３０を制御するものである。具体的には、制御部１１は、静止レベルＬＳに基づいて、表示部４０の各サブ画素９に対して書込駆動を行うか否かを制御するようになっている。
【００３５】
図４は、サブ画素９の動作を模式的に表すものであり、（Ａ）は静止レベルＬＳが中程度である場合を示し、（Ｂ）は静止レベルＬＳが高い場合を示す。この例では、タイミングｔ９０より前、およびタイミングｔ９１以降では、静止レベルＬＳが十分に低くなっており、タイミングｔ９０〜ｔ９１の期間において、静止レベルＬＳが中程度になり（図４（Ａ））、あるいは、静止レベルＬＳが高くなっている（図４（Ｂ））。
【００３６】
静止レベルＬＳが十分に低い場合には、サブ画素９は、各フレーム期間（１Ｆ）において、通常動作Ａを行う。ここで、通常動作Ａは、書込動作を行った後に発光動作を行うものである。すなわち、静止レベルＬＳが十分に低い場合には、画像の動きが大きいため、サブ画素９は、各フレーム期間において書込動作を行う。
【００３７】
また、静止レベルＬＳが中程度である場合（図４（Ａ））には、サブ画素９は、間欠書込動作Ｂを行う。この間欠書込動作Ｂでは、サブ画素９は、最初のフレーム期間において停止前動作Ｂ１を行い、その後、間欠的にリフレッシュ動作Ｂ３を行う。ここで、停止前動作Ｂ１およびリフレッシュ動作Ｂ３は、後述するように、通常動作Ａに比べて、高い画素電圧Ｖsigを用いて書込動作を行った後に、小さい発光デューティ比ＤＵＴＹで発光動作を行うものである。また、書込停止動作Ｂ２は、後述するように、書込動作を行わずに、停止前動作Ｂ１およびリフレッシュ動作Ｂ３と同等の発光デューティ比ＤＵＴＹで発光動作を行うものである。この例では、サブ画素９は、停止前動作Ｂ１またはリフレッシュ動作Ｂ３と、１フレーム期間分の書込停止動作Ｂ２とを交互に繰り返す。言い換えれば、この例では、書込停止フレーム数ＮＦは“１”である。すなわち、静止レベルＬＳが中程度である場合には、画像の動きが中程度であるため、サブ画素９は、間欠的に書込動作を行う。
【００３８】
また、静止レベルＬＳが高い場合（図４（Ｂ））には、サブ画素９は、間欠書込動作Ｂを行う。この間欠書込動作Ｂでは、サブ画素９は、停止前動作Ｂ１またはリフレッシュ動作Ｂ３と、４フレーム期間分の書込停止動作Ｂ２とを交互に繰り返す。言い換えれば、この例では、書込停止フレーム数ＮＦは“４”である。すなわち、静止レベルＬＳが高い場合には、画像の動きが小さいため、サブ画素９は、書込停止フレーム数ＮＦをさらに増やして、間欠的に書込動作を行う。
【００３９】
制御部１１は、このように、静止レベルＬＳに基づいて動的に書込停止フレーム数ＮＦを設定する。そして、制御部１１は、駆動部３０に対して制御信号ＣＴＬを供給して、駆動部３０がその書込停止フレーム数ＮＦに応じた間欠書込動作Ｂをするように制御する。
【００４０】
図５は、静止レベルＬＳに基づく書込停止フレーム数ＮＦの設定動作を表すものである。制御部１１は、この例では、静止レベルＬＳが高いほど書込停止フレーム数ＮＦを大きくする。すなわち、静止レベルＬＳが高いほど、画像の動きが小さいため、書込動作の頻度を下げても、画質が低下しにくい。また、制御部１１は、この例では、フレームレートＦＲが高いほど書込停止フレーム数ＮＦを大きくする。すなわち、フレームレートＦＲが高い場合には、動きが滑らかになり、ジャーキネスが生じるおそれを低減できるため、書込動作の頻度を下げても、画質が低下しにくい。このように、制御部１１は、静止レベルＬＳおよびフレームレートＦＲに応じて、書込停止フレーム数ＮＦを設定する。これにより、表示装置１では、画質が低下するおそれを低減しつつ、消費電力を低減することができるようになっている。
【００４１】
このように、制御部１１は、静止レベルＬＳに基づいて書込停止フレーム数ＮＦを設定する。これにより、表示装置１では、画質が低下するおそれを低減しつつ、消費電力を低減することができるようになっている。
【００４２】
また、制御部１１は、動作モード情報Ｓmodeに基づいて、表示装置１の動作を設定する機能をも有している。動作モード情報Ｓmodeは、表示装置１の動作モードを指示するものである。動作モード情報Ｓmodeは、この表示装置１が適用される電子機器のシステムから供給されるものであり、例えば、その電子機器の消費電力設定や、アプリケーションに応じて設定されるものである。動作モードとしては、例えば、通常モードや、複数の低消費電力モード（最小、小、中など）が挙げられる。制御部１１は、この動作モード情報Ｓmodeに基づいて、書込停止フレーム数ＮＦを設定する。具体的には、制御部１１は、例えば、通常モード、低消費電力モード（中）、低消費電力モード（小）、低消費電力モード（最小）の順に、書込停止フレーム数ＮＦが大きくなるように、書込停止フレーム数ＮＦを設定する。また、制御部１１は、動作モード情報Ｓmodeに基づいて、通常動作Ａにおける発光デューティ比ＤＵＴＹや、間欠書込動作Ｂにおける発光デューティ比ＤＵＴＹを設定する。これにより、表示装置１では、電子機器の消費電力設定やアプリケーションに応じて、より自由に消費電力の設定や画質の設定を行うことができるようになっている。
【００４３】
また、制御部１１は、間欠書込動作Ｂを行う際に、画素電圧Ｖsigを高くするように信号処理部１２および駆動部３０に対して指示するとともに、サブ画素９の発光期間を短くするように駆動部３０に対して指示する機能をも有している。
【００４４】
図６は、サブ画素９の発光動作を表すものである。図６において、縦軸はそのサブ画素９の輝度Ｌを示し、横軸は時間ｔを示す。この例では、サブ画素９は、間欠書込動作Ｂを行う際、停止前動作Ｂ１またはリフレッシュ動作Ｂ３と、４フレーム期間分の書込停止動作Ｂ２（Ｂ２（１）〜Ｂ２（４））とを交互に繰り返している。表示装置１では、間欠書込動作Ｂを行う場合には、通常動作Ａを行う場合に比べて、輝度Ｌを高くするとともに、発光デューティ比ＤＵＴＹを小さくする。ここで、発光デューティ比ＤＵＴＹは、１フレーム期間における発光期間の時間割合を示すものである。その際、表示装置１では、通常動作Ａにおける１フレーム期間あたりの輝度Ｌの平均値が、書込停止動作Ｂ２などにおける１フレーム期間あたりの輝度Ｌの平均値と等しくなるように、輝度Ｌおよび発光デューティ比ＤＵＴＹを設定する。
【００４５】
具体的には、制御部１１は、輝度情報ＩＲ，ＩＧ，ＩＢの値を大きくするように信号処理部１２に対して指示するとともに、サブ画素９の発光期間を短くするように制御信号ＣＴＬを介して駆動部３０に対して指示する。その際、制御部１１は、輝度情報ＩＲ，ＩＧ，ＩＢの値がすでに十分に大きいため、さらに大きくすることができないと判断した場合には、輝度情報ＩＲ，ＩＧ，ＩＢの値を変更する代わりに、ＤＡＣ３４のリファレンス電圧を変更するように制御信号ＣＴＬを介して駆動部３０に対して指示するようになっている。
【００４６】
また、制御部１１は、後述するように、書込停止動作Ｂ２において、サブ画素９における画素電圧Ｖsigの変化に応じて、発光デューティ比ＤＵＴＹを調整する機能をも有している。すなわち、サブ画素９において、例えば、容量素子Ｃｓのリークや、書込トランジスタＷＳＴｒのオフリークがある場合には、画素電圧Ｖsigが時間の経過に応じて徐々に低下するおそれがある。この場合には、そのサブ画素９の輝度Ｌは、時間の経過に応じて徐々に低下してしまう。表示装置１では、この輝度Ｌの低下分を補償するように、発光デューティ比ＤＵＴＹを調節する。これにより、表示装置１では、画質の低下を抑えることができるようになっている。
【００４７】
信号処理部１２は、制御部１１からの指示に基づいて、画像信号Ｓpicに対して所定の画像処理を行い、その処理結果を画像信号Ｓpic2として出力するものである。具体的には、信号処理部１２は、間欠書込動作Ｂを行う際に、上述したように、画像信号Ｓpicに含まれる輝度情報ＩＲ，ＩＧ，ＩＢの値を大きくするようになっている。
【００４８】
ここで、間欠書込動作Ｂは、本開示における「第１の駆動モード」の一具体例に対応する。通常動作Ａは、本開示における「第２の駆動モード」の一具体例に対応する。制御部１１および信号処理部１２は、本開示における「制御部」の一具体例に対応する。駆動部３０は、本開示における「駆動部」の一具体例に対応する。
【００４９】
［動作および作用］
続いて、本実施の形態の表示装置１の動作および作用について説明する。
【００５０】
（全体動作概要）
まず、図１などを参照して、表示装置１の全体動作概要を説明する。静止レベル検出部２０は、画像信号Ｓpicに基づいて、静止レベルＬＳを生成する。制御部１１は、画像信号Ｓpic、静止レベルＬＳ、および動作モード情報Ｓmodeに基づいて、信号処理部１２および駆動部３０を制御する。具体的には、制御部１１は、静止レベルＬＳおよび動作モード情報Ｓmodeに基づいて、書込停止フレーム数ＮＦを設定する。また、制御部１１は、間欠書込動作Ｂを行う際に、画素電圧Ｖsigを高くするように信号処理部１２および駆動部３０に対して指示するとともに、サブ画素９の発光期間を短くするように駆動部３０に対して指示する。また、制御部１１は、書込停止動作Ｂ２において、サブ画素９における画素電圧Ｖsigの変化に応じて、発光デューティ比ＤＵＴＹを調整する。信号処理部１２は、制御部１１からの指示に基づいて、画像信号Ｓpicに対して所定の画像処理を行い、その処理結果を画像信号Ｓpic2として出力する。駆動部３０は、信号処理部１２から供給された画像信号Ｓpic2、および制御部１１から供給された制御信号ＣＴＬに基づいて、表示部４０を駆動する。表示部４０は、駆動部３０による駆動に基づいて画像を表示する。
【００５１】
（詳細動作）
次に、サブ画素９の詳細動作を説明する。まず最初に、通常動作Ａについて説明し、その後に、書込停止動作Ｂ２について説明する。なお、通常動作Ａ２、停止前動作Ｂ１、およびリフレッシュ動作Ｂ３は、通常動作Ａと同様であるので、説明を省略する。
【００５２】
図７は、サブ画素９の通常動作Ａのタイミング図を表すものである。この図は、着目した１つのサブ画素９に対する表示駆動の動作例を表すものである。図７において、（Ａ）は走査信号ＷＳの波形を示し、（Ｂ）は電源信号ＤＳの波形を示し、（Ｃ）は信号Ｓigの波形を示し、（Ｄ）は駆動トランジスタＤＲＴｒのゲート電圧Ｖｇの波形を示し、（Ｅ）は駆動トランジスタＤＲＴｒのソース電圧Ｖｓの波形を示す。図７（Ｂ）〜（Ｅ）では、同じ電圧軸を用いて各波形を示している。
【００５３】
駆動部３０は、１水平期間（１Ｈ）内において、サブ画素９の初期化を行い（初期化期間Ｐ１）、駆動トランジスタＤＲＴｒの素子ばらつきが画質に与える影響を抑えるためのＶth補正を行い（Ｖth補正期間Ｐ２）、サブ画素９に対して画素電圧Ｖsigの書込みを行うとともに、Ｖth補正とは異なるμ（移動度）補正を行う（書込・μ補正期間Ｐ３）。そして、その後に、サブ画素９の発光素子４９が、書き込まれた画素電圧Ｖsigに応じた輝度Ｌで発光する（発光期間Ｐ４）。以下に、その詳細を説明する。
【００５４】
まず、電源線駆動部３２は、初期化期間Ｐ１の前において、電源信号ＤＳを電圧Ｖiniに設定する（図７（Ｂ））。これにより、駆動トランジスタＤＲＴｒがオン状態になり、駆動トランジスタＤＲＴｒのソース電圧Ｖｓが、電圧Ｖiniに設定される（図７（Ｅ））。
【００５５】
次に、駆動部３０は、タイミングｔ２〜ｔ３の期間（初期化期間Ｐ１）において、サブ画素９を初期化する。具体的には、タイミングｔ２において、データ線駆動部３３が、信号Ｓigを電圧Ｖofsに設定し（図７（Ｃ））、走査線駆動部３１Ａ，３１Ｂが、走査信号ＷＳの電圧を低レベルから高レベルに変化させる（図７（Ａ））。これにより、書込トランジスタＷＳＴｒがオン状態になり、駆動トランジスタＤＲＴｒのゲート電圧Ｖｇが電圧Ｖofsに設定される（図７（Ｄ））。このようにして、駆動トランジスタＤＲＴｒのゲート・ソース間電圧Ｖgs（＝Ｖofs−Ｖini）は、駆動トランジスタＤＲＴｒの閾値電圧Ｖthよりも大きい電圧に設定され、サブ画素９が初期化される。
【００５６】
次に、駆動部３０は、タイミングｔ３〜ｔ４の期間（Ｖth補正期間Ｐ２）において、Ｖth補正を行う。具体的には、電源線駆動部３２が、タイミングｔ３において、電源信号ＤＳを電圧Ｖiniから電圧Ｖccpに変化させる（図７（Ｂ））。これにより、駆動トランジスタＤＲＴｒは飽和領域で動作するようになり、ドレインからソースに電流Ｉdsが流れ、ソース電圧Ｖｓが上昇する（図７（Ｅ））。その際、この例では、ソース電圧Ｖｓは発光素子４９のカソードの電圧Ｖcathよりも低いため、発光素子４９は逆バイアス状態を維持し、発光素子４９には電流は流れない。このようにソース電圧Ｖｓが上昇することにより、ゲート・ソース間電圧Ｖgsが低下するため、電流Ｉdsは低下する。この負帰還動作により、電流Ｉdsは“０”（ゼロ）に向かって収束していく。言い換えれば、駆動トランジスタＤＲＴｒのゲート・ソース間電圧Ｖgsは、駆動トランジスタＤＲＴｒの閾値電圧Ｖthと等しくなる（Ｖgs＝Ｖth）ように収束していく。
【００５７】
次に、走査線駆動部３１Ａ，３１Ｂは、タイミングｔ４において、走査信号ＷＳの電圧を高レベルから低レベルに変化させる（図７（Ａ））。これにより、書込トランジスタＷＳＴｒはオフ状態になる。そして、データ線駆動部３３は、タイミングｔ５において、信号Ｓigを画素電圧Ｖsigに設定する（図７（Ｃ））。
【００５８】
次に、駆動部３０は、タイミングｔ６〜ｔ７の期間（書込・μ補正期間Ｐ３）において、サブ画素９に対して画素電圧Ｖsigの書込みを行うとともにμ補正を行う。具体的には、走査線駆動部３１Ａ，３１Ｂが、タイミングｔ６において、走査信号ＷＳの電圧を低レベルから高レベルに変化させる（図７（Ａ））。これにより、書込トランジスタＷＳＴｒはオン状態になり、駆動トランジスタＤＲＴｒのゲート電圧Ｖｇが、電圧Ｖofsから画素電圧Ｖsigに上昇する（図７（Ｄ））。このとき、駆動トランジスタＤＲＴｒのゲート・ソース間電圧Ｖgsが閾値電圧Ｖthより大きくなり（Ｖgs＞Ｖth）、ドレインからソースへ電流Ｉdsが流れるため、駆動トランジスタＤＲＴｒのソース電圧Ｖｓが上昇する（図７（Ｅ））。このような負帰還動作により、駆動トランジスタＤＲＴｒの素子ばらつきの影響が抑えられ（μ補正）、駆動トランジスタＤＲＴｒのゲート・ソース間電圧Ｖgsは、画素電圧Ｖsigに応じた電圧Ｖemiに設定される。なお、このようなμ補正の方法については、例えば、特開２００６−２１５２１３に記載がある。
【００５９】
次に、駆動部３０は、タイミングｔ７以降の期間（発光期間Ｐ４）において、サブ画素９を発光させる。具体的には、タイミングｔ７において、走査線駆動部３１Ａ，３１Ｂは、走査信号ＷＳの電圧を高レベルから低レベルに変化させる（図７（Ａ））。これにより、書込トランジスタＷＳＴｒがオフ状態になり、駆動トランジスタＤＲＴｒのゲートがフローティングとなるため、これ以後、容量素子Ｃｓの端子間電圧、すなわち、駆動トランジスタＤＲＴｒのゲート・ソース間電圧Ｖgsは維持される。そして、駆動トランジスタＤＲＴｒに電流Ｉdsが流れるにつれ、駆動トランジスタＤＲＴｒのソース電圧Ｖｓが上昇し（図７（Ｅ））、これに伴って駆動トランジスタＤＲＴｒのゲート電圧Ｖｇも上昇する（図７（Ｄ））。そして、駆動トランジスタＤＲＴｒのソース電圧Ｖｓが、発光素子４９の閾値電圧Ｖelと電圧Ｖcathの和（Ｖel＋Ｖcath）よりも大きくなると、発光素子４９のアノード・カソード間に電流が流れ、発光素子４９が発光する。すなわち、発光素子４９の素子ばらつきに応じた分だけソース電圧Ｖｓが上昇し、発光素子４９が発光する。
【００６０】
その後、駆動部３０は、発光デューティ比ＤＵＴＹに対応する期間が経過した後に、電源信号ＤＳを電圧Ｖccpから電圧Ｖiniに変化させ、発光期間Ｐ４が終了する。なお、通常動作Ａでは、このように、電源信号ＤＳが電圧Ｖccpから電圧Ｖiniに変化することにより、発光期間Ｐ４が終了するが、停止前動作Ｂ１およびリフレッシュ動作Ｂ３では、電源信号ＤＳが電圧Ｖccpから電圧Ｖextに変化することにより、発光期間Ｐ４が終了する。
【００６１】
図８は、サブ画素９の書込停止動作Ｂ２のタイミング図を表すものであり、（Ａ）は走査信号ＷＳの波形を示し、（Ｂ）は電源信号ＤＳの波形を示し、（Ｃ）は信号Ｓigの波形を示し、（Ｄ）は駆動トランジスタＤＲＴｒのゲート電圧Ｖｇの波形を示し、（Ｅ）は駆動トランジスタＤＲＴｒのソース電圧Ｖｓの波形を示す。
【００６２】
書込停止動作Ｂ２では、走査信号ＷＳの電圧は常に低レベルである。これにより、書込トランジスタＷＳＴｒはオフ状態を維持するため、駆動トランジスタＤＲＴｒのゲート・ソース間電圧Ｖgsは、書込・μ補正期間Ｐ３で設定された電圧Ｖemiを維持する。なお、この説明では、便宜上、容量素子Ｃｓのリーク等を考慮していない。
【００６３】
まず、電源線駆動部３２は、電源信号ＤＳを電圧extに設定する（図８（Ｂ））。これにより、駆動トランジスタＤＲＴｒがオン状態になり、駆動トランジスタＤＲＴｒのソース電圧Ｖｓが、電圧Ｖextに設定される（図８（Ｅ））。
【００６４】
そして、駆動部３０は、タイミングｔ１３以降の期間（発光期間Ｐ４）において、サブ画素９を発光させる。具体的には、電源線駆動部３２が、タイミングｔ１３において、電源信号ＤＳを電圧Ｖextから電圧Ｖccpに変化させる（図８（Ｂ））。これにより、駆動トランジスタＤＲＴｒは飽和領域で動作するようになり、ドレインからソースに電流Ｉdsが流れ、駆動トランジスタＤＲＴｒのソース電圧Ｖｓが上昇し（図８（Ｅ））、これに伴って駆動トランジスタＤＲＴｒのゲート電圧Ｖｇも上昇する（図８（Ｄ））。そして、駆動トランジスタＤＲＴｒのソース電圧Ｖｓが、発光素子４９の閾値電圧Ｖelと電圧Ｖcathの和（Ｖel＋Ｖcath）よりも大きくなると、発光素子４９のアノード・カソード間に電流が流れ、発光素子４９が発光する。すなわち、発光素子４９の素子ばらつきに応じた分だけソース電圧Ｖｓが上昇し、発光素子４９が発光する。
【００６５】
その後、駆動部３０は、発光デューティ比ＤＵＴＹに対応する期間が経過した後に、電源信号ＤＳを電圧Ｖccpから電圧Ｖextに変化させ、発光期間Ｐ４が終了する。
【００６６】
間欠書込動作Ｂでは、サブ画素９は、停止前動作Ｂ１またはリフレッシュ動作Ｂ３と、所定のフレーム期間分の書込停止動作Ｂ２とを交互に繰り返す。この書込停止動作Ｂ２では、書込動作を行わずに発光動作を行う。よって、例えば、容量素子Ｃｓのリークや、書込トランジスタＷＳＴｒのオフリークがある場合には、画素電圧Ｖsigが時間の経過に応じて徐々に低下し、その結果、そのサブ画素９の輝度Ｌは、徐々に低下してしまう。表示装置１では、この輝度Ｌの低下分を補償するように、発光デューティ比ＤＵＴＹを調節する。以下に、この動作について詳細に説明する。
【００６７】
図９は、間欠書込動作Ｂにおけるサブ画素９の一動作例を表すものであり、（Ａ）はサブ画素９の輝度Ｌを示し、（Ｂ）は各発光期間Ｐ４における輝度Ｌの積分値（表示輝度ＬＤ）を示し、（Ｃ）は各発光期間Ｐ４の時間幅（発光時間幅Ｗ）を示す。この図９は、説明の便宜上、誇張して描いている。この例では、サブ画素９は、停止前動作Ｂ１またはリフレッシュ動作Ｂ３と、４フレーム期間分の書込停止動作Ｂ２（Ｂ２（１）〜Ｂ２（４））とを交互に繰り返している。
【００６８】
図９（Ａ）に示したように、表示装置１では、書込停止動作Ｂ２において、容量素子Ｃｓのリークなどに起因して、輝度Ｌが時間の経過とともに低下する。制御部１１は、この輝度Ｌの低下分を補償するように、発光デューティ比ＤＵＴＹを調節する。具体的には、制御部１１は、フレーム期間の長さを一定に保ちつつ、例えば、輝度Ｌが高い場合には発光時間幅Ｗを小さくし、一方、輝度Ｌが低い場合には発光時間幅Ｗを大きくする（図９（Ｃ））。これにより、表示装置１では、図９（Ｂ）に示したように、表示輝度ＬＤをほぼ一定にすることができる。
【００６９】
その際、制御部１１は、発光時間幅Ｗが急激に変化しないように、発光デューティ比ＤＵＴＹを調節する。具体的には、この例では、制御部１１は、停止前動作Ｂ１およびリフレッシュ動作Ｂ３の発光デューティ比ＤＵＴＹを、その次の書込停止動作Ｂ２（１）の発光デューティ比ＤＵＴＹに比べて期間Δ１の分だけ大きくしている。また、同様に、制御部１１は、３番目の書込停止動作Ｂ２（３）の発光デューティ比ＤＵＴＹを、４番目の書込停止動作Ｂ２（４）の発光デューティ比ＤＵＴＹに比べて大きくしている。これにより、表示装置１では、比較例に係る表示装置１Ｒ（後述）の場合と比べて、ユーザが画像のちらつき（いわゆるフリッカ）を感じるおそれを低減することができ、画質を高めることができる。
【００７０】
（比較例）
次に、比較例に係る表示装置１Ｒについて説明する。本比較例は、発光デューティ比ＤＵＴＹを調節する方法が、本実施の形態に係る表示装置１と異なるものである。すなわち、本実施の形態（図１，９など）では、表示輝度ＬＤをほぼ一定にしつつ発光時間幅Ｗが急激に変化しないように、発光デューティ比ＤＵＴＹを調節する制御部１１を用いて表示装置１Ｒを構成したが、これに代えて、本比較例では、発光時間幅Ｗを考慮せず、表示輝度ＬＤを一定にするように発光デューティ比ＤＵＴＹを調節する制御部１１Ｒを用いて表示装置１Ｒを構成している。その他の構成は、本実施の形態（図１）と同様である。
【００７１】
図１０は、表示装置１Ｒにおけるサブ画素９の一動作例を表すものであり、（Ａ）はサブ画素９の輝度Ｌを示し、（Ｂ）は表示輝度ＬＤを示し、（Ｃ）は発光時間幅Ｗを示す。図１０（Ａ）に示したように、表示装置１Ｒにおいて、輝度Ｌが時間の経過とともに低下する。制御部１１Ｄは、この輝度Ｌの低下分を補償するように、発光デューティ比ＤＵＴＹを調節する。具体的には、制御部１１Ｄは、時間の経過に応じて、発光時間幅Ｗを徐々に大きくしている。すなわち、制御部１１Ｄは、図１０（Ｂ）に示したように、表示輝度ＬＤを一定にするように発光デューティ比ＤＵＴＹを調節する。その結果、発光時間幅Ｗは、時間の経過に応じて徐々に増加し、リフレッシュ動作Ｂ３において、急激に減少する（図１０（Ｃ））。
【００７２】
このように、比較例に係る表示装置１Ｒでは、発光時間幅Ｗがリフレッシュ動作Ｂ３の度に急激に変化する。これにより、表示装置１Ｒでは、画像のちらつき（いわゆるフリッカ）が生じるおそれがある。特に、この間欠書込動作Ｂは、静止レベルＬＳが高い（表示画像の動きが少ない）場合に行われるため、動きの多い画像を表示する場合に比べてフリッカが目立ってしまう。また、このようなフリッカは周波数が低いため、ユーザは、このフリッカを感じやすい。すなわち、人間は、フリッカの周波数が７０［Ｈｚ］程度を下回ると、フリッカを感じるようになる。リフレッシュ動作Ｂ３の頻度は、静止レベルＬＳが高いほど少なくなる。よって、ユーザは、静止レベルＬＳが高いほど、フリッカを感じてしまう。このように、フリッカが生じる場合には、ユーザは、画質が低下したように感じてしまう。
【００７３】
一方、本実施の形態に係る表示装置１では、制御部１１は、図９に示したように、発光時間幅Ｗが急激に変化しないように、発光デューティ比ＤＵＴＹを調節するようにした。これにより、表示装置１では、発光時間幅Ｗの変化が緩やかになるため、ユーザが、フリッカを感じるおそれを低減することができ、画質を高めることができる。
【００７４】
また、表示装置１では、図６に示したように、間欠書込動作Ｂを行う場合には、通常動作Ａを行う場合に比べて、発光デューティ比ＤＵＴＹを小さくする。これにより、間欠書込動作Ｂにおいて、発光デューティ比ＤＵＴＹを大きい値に変化させるためのマージンを確保することができる。その結果、例えば、書込停止フレーム数ＮＦが大きい場合でも、輝度Ｌの低下分を適切に補償することができる。
【００７５】
［効果］
以上のように本実施の形態では、間欠書込動作を行う場合に、画素電圧の低下を考慮して発光デューティ比を調節するようにしたので、画質を高めることができる。
【００７６】
本実施の形態では、発光時間幅が急激に変化しないように、発光デューティ比を調節するようにしたので、画質を高めることができる。
【００７７】
本実施の形態では、間欠書込動作を行う場合に、通常動作を行う場合に比べて、発光デューティ比を小さくしたので、発光デューティ比のマージンを確保することができ、輝度の低下分を適切に補償することができる。
【００７８】
［変形例１−１］
上記実施の形態では、図６等に示したように、停止前動作Ｂ１、書込停止動作Ｂ２、およびリフレッシュ動作Ｂ３のそれぞれにおいて、サブ画素９を１回発光させたが、これに限定されるものではなく、これに代えて、例えば、図１１，図１２に示す表示装置１Ａのように、複数回発光させてもよい。この例では、停止前動作Ｂ１、書込停止動作Ｂ２、およびリフレッシュ動作Ｂ３のそれぞれにおいて、サブ画素９を２回発光させている。この場合でも、通常動作Ａにおける１フレーム期間あたりの輝度Ｌの平均値が、書込停止動作Ｂ２などにおける１フレーム期間あたりの輝度Ｌの平均値と等しくなるように、輝度Ｌおよび発光デューティ比ＤＵＴＹを設定する。２つの発光期間の時間長は、互いに等しくしてもよいし、互いに異なるようにしてもよい。この例では、停止前動作Ｂ１およびリフレッシュ動作Ｂ３の各発光期間Ｐ４の発光時間幅Ｗを、その次の書込停止動作Ｂ２（１）の各発光期間Ｐ４の発光時間幅Ｗに比べて大きくするとともに、３番目の書込停止動作Ｂ２（３）の各発光期間Ｐ４の発光時間幅Ｗを、４番目の書込停止動作Ｂ２（４）の各発光期間Ｐ４の発光時間幅Ｗに比べて大きくしている。
【００７９】
なお、この例では、停止前動作Ｂ１、書込停止動作Ｂ２、およびリフレッシュ動作Ｂ３のそれぞれにおいて、サブ画素９を２回発光させたが、これに限定されるものではなく、これに代えて、例えば、３回以上発光させてもよい。具体的には、発光の頻度が、ユーザがちらつきを感じにくくなるような頻度（例えば１秒間に７０回以上）になるようにするのが望ましい。
【００８０】
［変形例１−２］
上記実施の形態では、表示部４０の全表示領域に対して、動的に書込停止フレーム数ＮＦを設定したが、これに限定されるものではなく、これに代えて、表示部４０の一部の表示領域に対してのみ、動的に書込停止フレーム数ＮＦを設定してもよい。以下に、本変形例に係る表示装置１Ｂについて、詳細に説明する。
【００８１】
図１３は、表示装置１Ｂの一構成例を表すものである。表示装置１Ｂは、制御部１１Ｂを備えている。制御部１１Ｂは、上記実施の形態に係る制御部１１と同様に、信号処理部１２および駆動部３０を制御するものである。その際、制御部１１Ｂは、コンテンツ情報Ｓｃにも基づいて、信号処理部１２および駆動部３０を制御するようになっている。ここで、コンテンツ情報Ｓｃは、例えば、他の回路から供給されるものであり、画像信号Ｓpicが示すコンテンツの種類（例えば、シネマ、データ放送、など）を示すものである。
【００８２】
図１４Ａ，１４Ｂは、制御部１１Ｂのコンテンツ情報Ｓｃに基づく動作を表すものである。例えば、コンテンツがシネマである場合には、制御部１１Ｂは、コンテンツ情報Ｓｃに基づいて、表示部４０の表示領域Ｓのうち、シネマ画像が表示される中央の領域Ｒ２２について、静止レベルＬＳに基づいて動的に書込停止フレーム数ＮＦを設定し、いわゆる黒帯が表示される上下の領域Ｒ２１，Ｒ２３について、書込駆動を停止する。これにより、領域Ｒ２２では、画質が低下するおそれを低減しつつ消費電力を低減することができ、領域Ｒ２１，Ｒ２３では、消費電力を低減することができる。また、例えば、コンテンツがデータ放送である場合には、制御部１１Ｂは、コンテンツ情報Ｓｃに基づいて、画像の動きが大きい中央の領域Ｒ３１について、静止レベルＬＳに基づいて動的に書込停止フレーム数ＮＦを設定し、画像の動きが小さい周辺の領域Ｒ３２について、やや大きめの所定の書込停止フレーム数ＮＦを設定する。これにより、領域Ｒ３１では、画質が低下するおそれを低減しつつ消費電力を低減することができ、領域Ｒ３２では、消費電力を低減することができる。
【００８３】
［変形例１−３］
上記実施の形態では、画像信号Ｓpicに基づいて静止レベルＬＳを求めたが、これに限定されるものではなく、これに代えて、例えば、図１５に示す表示装置１Ｃのように、外部から静止レベルＬＳの供給を受けるようにしてもよい。表示装置１Ｃは、制御部１１と、信号処理部１２と、駆動部３０と、表示部４０とを備えている。すなわち、表示装置１Ｃは、上記実施の形態に係る表示装置１から、静止レベル検出部２０を省いたものである。この制御部１１には、外部から静止レベルＬＳが供給されるようになっている。静止レベルＬＳは、例えば、前段の回路によって生成される。前段の回路としては、例えば、ＭＰＥＧ（Moving Picture Experts Group）デコーダや、フレームレート変換回路などが挙げられる。
【００８４】
［その他の変形例］
また、これらの変形例のうちの２以上を組み合わせてもよい。
【００８５】
＜２．第２の実施の形態＞
次に、第２の実施の形態に係る表示装置２について説明する。本実施の形態は、間欠書込動作Ｂを行うときのフレーム期間の長さが変更可能に構成されたものである。なお、上記第１の実施の形態に係る表示装置１と実質的に同一の構成部分には同一の符号を付し、適宜説明を省略する。
【００８６】
図１に示したように、表示装置２は、制御部５１を備えている。制御部５１は、上記第１の実施の形態に係る制御部１１と同様に、書込停止動作Ｂ２において、サブ画素９における画素電圧Ｖsigの変化に応じて、発光時間幅Ｗを調整するものである。その際、制御部５１は、表示輝度ＬＤをほぼ一定にするように発光時間幅Ｗを調整しつつ、フレーム期間の長さを変更するようになっている。
【００８７】
図１６は、間欠書込動作Ｂにおけるサブ画素９の一動作例を表すものであり、（Ａ）はサブ画素９の輝度Ｌを示し、（Ｂ）は各発光期間Ｐ４における輝度Ｌの積分値（表示輝度ＬＤ）を示し、（Ｃ）は各発光期間Ｐ４の時間幅（発光時間幅Ｗ）を示す。この図１６は、説明の便宜上、誇張して描いている。この例では、サブ画素９は、停止前動作Ｂ１またはリフレッシュ動作Ｂ３と、４フレーム期間分の書込停止動作Ｂ２（Ｂ２（１）〜Ｂ２（４））とを交互に繰り返している。なお、停止前動作Ｂ１、書込停止動作Ｂ２、およびリフレッシュ動作Ｂ３のそれぞれにおいて、サブ画素９を２回発光させているが、これに限定されるものではなく、サブ画素９を１回発光させてもよいし、３回以上発光させてもよい。
【００８８】
制御部５１は、輝度Ｌの低下分（図１６（Ａ））を補償するように、発光時間幅Ｗを調整する。その際、制御部５１は、隣り合う発光期間Ｐ４の間隔を一定に保つように動作を制御する。これにより、表示装置２では、停止前動作Ｂ１、書込停止動作Ｂ２（１）〜Ｂ２（４）、およびリフレッシュ動作Ｂ３の各動作期間が、発光時間幅Ｗに応じて変化する。言い換えれば、表示装置２では、間欠書込動作Ｂにおいて、フレーム期間の長さが変化する。これにより、表示装置２では、動作の自由度をより高めることができるため、画質を高めることができる。
【００８９】
また、制御部５１は、停止前動作Ｂ１およびリフレッシュ動作Ｂ３における各発光期間Ｐ４の発光時間幅Ｗと、書込停止動作Ｂ２（１）の各発光期間Ｐ４の発光時間幅Ｗとを同程度にするとともに、書込停止動作Ｂ２（３）の各発光期間Ｐ４の発光時間幅Ｗと書込停止動作Ｂ２（４）の各発光期間Ｐ４の発光時間幅Ｗとを同程度にする。これにより、表示装置２では、発光時間幅Ｗの急激な変化を抑えることができるため、ユーザが画像のちらつきを感じるおそれを低減することができ、画質を高めることができる。
【００９０】
以上のように本実施の形態では、間欠書込動作において、フレーム期間の長さが変化するようにしたので、動作の自由度をより高めることができるため、画質を高めることができる。その他の効果は、上記第１の実施の形態の場合と同様である。
【００９１】
［変形例２−１］
上記実施の形態では、停止前動作Ｂ１およびリフレッシュ動作Ｂ３における発光時間幅Ｗと、書込停止動作Ｂ２（１）の発光時間幅Ｗとを同程度にするとともに、書込停止動作Ｂ２（３）の発光時間幅Ｗと書込停止動作Ｂ２（４）の発光時間幅Ｗとを同程度にしたが、これに限定されるものではない。これに代えて、例えば、図１７に示すように、停止前動作Ｂ１およびリフレッシュ動作Ｂ３における発光時間幅Ｗを、書込停止動作Ｂ２（１）の発光時間幅Ｗよりも長くするとともに、書込停止動作Ｂ２（３）の発光時間幅Ｗを、書込停止動作Ｂ２（４）の発光時間幅Ｗよりも長くしてもよい。
【００９２】
［変形例２−２］
また、例えば、図１８に示すように、輝度Ｌの低下分を補償するように、発光時間幅Ｗを徐々に大きくし、表示輝度ＬＤを一定にするように発光時間幅Ｗを調節してもよい。この場合でも、動作の自由度をより高めることができるため、画質を高めることができる。
【００９３】
［変形例２−３］
上記実施の形態では、図１６等に示したように、停止前動作Ｂ１、書込停止動作Ｂ２、およびリフレッシュ動作Ｂ３のそれぞれにおいて、サブ画素９を２回発光させたが、これに限定されるものではなく、これに代えて、例えば、図１９，２０に示すように、サブ画素９を１回発光させてもよい。図１９は、上記第２の実施の形態の例（図１６）に対応するものであり、図２０は、上記変形例２−１の例（図１７）に対応するものである。
【００９４】
［その他の変形例］
上記実施の形態に係る表示装置２に、上記第１の実施の形態の各変形例を適用してもよい。
【００９５】
＜３．適用例＞
次に、上述した実施の形態で説明した表示装置の適用例について説明する。上記実施の形態の表示装置は、テレビジョン装置、電子ブック、スマートフォン（多機能携帯電話）、デジタルカメラ、ノート型パーソナルコンピュータ、ビデオカメラ、ヘッドマウントディスプレイなど、外部から入力された画像信号あるいは内部で生成した画像信号に基づいて表示を行うあらゆる分野の電子機器の表示装置に適用することが可能である。
【００９６】
図２１は、スマートフォン３００の外観を表すものである。このスマートフォン３００は、操作部３１０および表示部３２０を有しており、表示部３２０が、上記の表示装置により構成されている。
【００９７】
上述した実施の形態で説明した表示装置は、様々な電子機器に適用することができる。本技術により、消費電力を低減することができるとともに、画質を高めることができる。本技術は、特に、バッテリを有する携帯型電子機器において、バッテリ駆動時間の長時間化および画質の向上に大きな貢献がある。
【００９８】
以上、いくつかの実施の形態および変形例、ならびに電子機器への適用例を挙げて本技術を説明したが、本技術はこれらの実施の形態等には限定されず、種々の変形が可能である。
【００９９】
例えば、上記の各実施の形態では、各サブ画素９に１つの容量素子Ｃｓを設けたが、これに限定されるものではなく、これに代えて、例えば、図２２に示すサブ画素７のように、容量素子Ｃsubを設けてもよい。容量素子Ｃsubは、一端が発光素子４９のアノードに接続され、他端が発光素子４９のカソードに接続されている。すなわち、サブ画素７は、２つのトランジスタ（書込トランジスタＷＳＴｒ、駆動トランジスタＤＲＴｒ）および２つの容量素子Ｃｓ，Ｃsubを用いて構成される、いわゆる「２Ｔｒ２Ｃ」の構成を有するものである。
【０１００】
例えば、本技術は、ある書込動作と次の書込動作との間が３０［ｍｓｅｃ］以上になるような様々な用途に適用することができる。
【０１０１】
なお、本明細書に記載された効果はあくまで例示であって限定されるものでは無く、また他の効果があってもよい。
【０１０２】
なお、本技術は以下のような構成とすることができる。
【０１０３】
（１）複数の単位画素を有する表示部と、
第１の駆動モードにおいて、各単位画素に対して、書込駆動を行った後に複数の発光期間において発光駆動を行う駆動部と
を備え、
前記複数の発光期間のうちの最初の発光期間以外の所定数の発光期間のうちのいずれか一の発光期間は、前記最初の発光期間よりも長く、前記所定数の発光期間のうちの他のいずれか一の発光期間は、前記最初の発光期間よりも短い
表示装置。
【０１０４】
（２）隣り合う前記発光期間の開始タイミングの時間間隔は、互いに等しい
前記（１）に記載の表示装置。
【０１０５】
（３）隣り合う前記発光期間の開始タイミングの時間間隔のうち、いずれか一の時間間隔は、他のいずれか一の時間間隔と互いに異なる
前記（１）に記載の表示装置。
【０１０６】
（４）各発光期間を挟む２つの非発光期間の長さは、互いに等しい
前記（３）に記載の表示装置。
【０１０７】
（５）前記駆動部は、画像信号に基づいて、前記画像信号が示すフレーム期間に対応する期間おいて１つの発光期間を設定し、各単位画素を駆動する
前記（１）から（４）のいずれかに記載の表示装置。
【０１０８】
（６）前記駆動部は、画像信号に基づいて、前記画像信号が示すフレーム期間に対応する期間おいて２以上の発光期間を設定し、各単位画素を駆動する
前記（１）から（４）のいずれかに記載の表示装置。
【０１０９】
（７）前記駆動部は、前記第１の駆動モードを含む複数の駆動モードのうちの一つを選択し、選択された駆動モードにより各単位画素を駆動する
前記（１）から（６）のいずれかに記載の表示装置。
【０１１０】
（８）前記複数の駆動は、第２の駆動モードを含み、
前記駆動部は、前記第２の駆動モードにおいて、各単位画素に対して、前記書込駆動を行った後に単一の発光期間において前記発光駆動を行う
前記（７）に記載の表示装置。
【０１１１】
（９）前記第１の駆動モードにおける各発光期間は、前記第２の駆動モードにおける各発光期間よりも短い
前記（８）に記載の表示装置。
【０１１２】
（１０）前記駆動部は、前記書込駆動において、各単位画素に対して画素電圧を書込み、
前記第１の駆動モードにおける前記画素電圧が示す輝度レベルは、前記第２の駆動モードにおける前記画素電圧が示す輝度レベルよりも高い
前記（８）または（９）に記載の表示装置。
【０１１３】
（１１）前記駆動部は、前記表示部に表示すべき画像の動き量に基づいて、前記複数の駆動モードのうちの一つを選択する
前記（７）から（１０）のいずれかに記載の表示装置。
【０１１４】
（１２）前記駆動部は、前記表示部に表示すべき画像のコンテンツに基づいて、前記複数の駆動モードのうちの一つを選択する
前記（７）から（１１）のいずれかに記載の表示装置。
【０１１５】
（１３）複数の単位画素を有する表示部と、
第１の駆動モードにおいて、各単位画素に対して、書込駆動を行った後に複数の発光期間において発光駆動を行う駆動部と
を備え、
隣り合う前記発光期間の開始タイミングの時間間隔のうちのいずれか一の時間間隔は、他のいずれか一の時間間隔と互いに異なる
表示装置。
【０１１６】
（１４）各発光期間を挟む２つの非発光期間の長さは、互いに等しい
前記（１３）に記載の表示装置。
【０１１７】
（１５）前記複数の発光期間のうちの最初の発光期間以外の所定数の発光期間のうちのいずれか一の発光期間は、前記最初の発光期間よりも長い
前記（１３）または（１４）に記載の表示装置。
【０１１８】
（１６）隣り合う２つの前記発光期間のうち後ろの発光期間の長さは、前の発光期間の長さ以上である
前記（１３）から（１５）のいずれかに記載の表示装置。
【０１１９】
（１７）前記最初の発光期間は、前記所定数の発光期間のうちのいずれか一の発光期間よりも長い
前記（１３）から（１５）のいずれかに記載の表示装置。
【０１２０】
（１８）画像信号を準備し、
第１の駆動モードにおいて、各単位画素に対して、前記画像信号に基づく書込駆動を行った後に複数の発光期間において発光駆動を行い、
前記発光駆動において、前記複数の発光期間のうちの最初の発光期間以外の所定数の発光期間のうちのいずれか一の発光期間を、前記最初の発光期間よりも長く設定し、前記所定数の発光期間のうちの他のいずれか一の発光期間を、前記最初の発光期間よりも短く設定する
駆動方法。
【０１２１】
（１９）表示装置と
前記表示装置に対して動作制御を行う制御部と
を備え、
前記表示装置は、
複数の単位画素を有する表示部と、
第１の駆動モードにおいて、各単位画素に対して、書込駆動を行った後に複数の発光期間において発光駆動を行う駆動部と
を有し、
前記複数の発光期間のうちの最初の発光期間以外の所定数の発光期間のうちのいずれか一の発光期間は、前記最初の発光期間よりも長く、前記所定数の発光期間のうちの他のいずれか一の発光期間は、前記最初の発光期間よりも短い
電子機器。
【０１２２】
本出願は、日本国特許庁において２０１４年４月２８日に出願された日本特許出願番号２０１４−０９２７７０号を基礎として優先権を主張するものであり、この出願のすべての内容を参照によって本出願に援用する。
【０１２３】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
0006561413.tif 000002
【図２】
0006561413.tif 000003
【図３】
0006561413.tif 000004
【図４】
0006561413.tif 000005
【図５】
0006561413.tif 000006
【図６】
0006561413.tif 000007
【図７】
0006561413.tif 000008
【図８】
0006561413.tif 000009
【図９】
0006561413.tif 000010
【図１０】
0006561413.tif 000011
【図１１】
0006561413.tif 000012
【図１２】
0006561413.tif 000013
【図１３】
0006561413.tif 000014
【図１４Ａ】
0006561413.tif 000015
【図１４Ｂ】
0006561413.tif 000016
【図１５】
0006561413.tif 000017
【図１６】
0006561413.tif 000018
【図１７】
0006561413.tif 000019
【図１８】
0006561413.tif 000020
【図１９】
0006561413.tif 000021
【図２０】
0006561413.tif 000022
【図２１】
0006561413.tif 000023
【図２２】
0006561413.tif 000024